(57)【要約】      （修正有）【課題】収納時の体積と厚さを低減し、収納または外出携帯時に必要な空間を減らせ、製造コストが極めて低い簡易麻雀卓構造を提供する。【解決手段】簡易麻雀卓構造は、収納時の体積及び厚さを減少させ、更に収納又は外出携帯する時、必要な空間を減少させることができる複数の取り外し可能なレイヤー１３〜１６を有する。簡易麻雀卓構造は、主卓面、４つの取り外し可能なレイヤー１３〜１６、及び収納可能な支持構造を含む。主卓面の第１表層１１１は、複数の第１磁気デバイスを含み、４つの取り外し可能なレイヤー１３〜１６は、複数の第２磁気デバイスを含み、収納可能な支持構造は、主卓面の第２表層に接続され、第２表層は第１表層に相対し、収納可能な支持構造を体積が比較的小さい構造に収納して第２表層に近接させる。【選択図】図４
0003230589.tif 000002
【実用新案登録請求の範囲】
【請求項１】
第１表層が複数の第１磁気デバイスを含み、且つ前記複数の第１磁気デバイスが前記第１表層の第１端縁、第２端縁、第３端縁及び第４端縁に分散される主卓面と、
４つの取り外し可能なレイヤーであり、前記各取り外し可能なレイヤーが、第２磁気デバイスを含み、且つ前記各取り外し可能なレイヤーが前記第１表層の前記第１端縁、前記第２端縁、前記第３端縁及び前記第４端縁に配置される時、前記各第２磁気デバイスの位置は、各第１磁気デバイスに相対し、ここで、前記４つの取り外し可能なレイヤーの前記４つの第２磁気デバイスと前記複数の第１磁気デバイスは互いに磁気的に引き付けられ、前記４つの取り外し可能なレイヤーを前記主卓面の第１表層に安定して配置させることができる、４つの取り外し可能なレイヤーと、
前記主卓面の第２表層に接続され、且つ前記第２表層は、前記第１表層に相対し、前記収納可能な支持構造を体積が比較的小さい構造に収納させて前記第２表層に近接させる収納可能な支持構造と、
を含む簡易麻雀卓構造。
【請求項２】
前記複数の各第１磁気デバイスは、第１ストリップ磁気シートであり、且つ長さが前記４つの端縁の各端縁の長さ以下であり、埋め込み方式で前記第１表層の各端縁の第１固定溝内に固定され、前記複数の第２磁気デバイスは、第２ストリップ磁気シートであり、且つ長さが４つの取り外し可能なレイヤーの各取り外し可能なレイヤーの長さ以下であり、埋め込み方式で取り外し可能なレイヤーの第２固定溝内に固定される請求項１に記載の簡易麻雀卓構造。 
【請求項３】
前記各第１磁気デバイスは、第１磁気ブロックであり、前記複数の第１磁気ブロックを１つの組み合わせとし、埋め込み方式で前記第１表層の各端縁内の複数の第１固定孔内に固定し、前記各第２磁気デバイスは、第２磁気ブロックであり、前記複数の第２磁気ブロックを1つの組み合わせとし、埋め込み方式で各取り外し可能なレイヤー内の複数の第２固定孔内に固定する請求項１に記載の簡易麻雀卓構造。 
【請求項４】
前記第１磁気デバイス及び前記第２磁気デバイスは、強力な磁気ブロック及び強力な磁性シートの何れかである請求項１に記載の簡易麻雀卓構造。 
【請求項５】
４つの保管構造を更に含み、前記各保管構造は、前記各取り外し可能なレイヤーを貫通させ、前記各取り外し可能なレイヤーを前記主卓面の前記第１表層に安定して配置させる時、前記各保管構造は、前記第１表層の各端縁に掛けることができる請求項１に記載の簡易麻雀卓構造。
【請求項６】
４つの保管構造を更に含み、前記各保管構造は、前記各取り外し可能なレイヤーを押圧設置させ、前記各取り外し可能なレイヤーを前記主卓面の前記第１表層に安定して配置させる時、前記各保管構造は、前記第１表層の各端縁に掛けることができる請求項１に記載の簡易麻雀卓構造。 
【請求項７】
前記収納可能な支持構造は、
１つの第１卓脚及び２つの第１ピボット構造と、
１つの第２卓脚及び２つの第２ピボット構造と、
１つの第３卓脚及び２つの第３ピボット構造と、
１つの第４卓脚及び２つの第４ピボット構造と、
を含み、
前記２つの第１ピボット構造は、前記第１卓脚の一端に位置し、前記一端と共に前記主卓面の前記第２表面に接続し、
前記２つの第２ピボット構造は、前記第２卓脚の一端に位置し、前記一端と共に前記主卓面の前記第２表面に接続し、
前記２つの第３ピボット構造は、前記第３卓脚の一端に位置し、前記一端と共に前記主卓面の前記第２表面に接続し、
前記２つの第４ピボット構造は、前記第４卓脚の一端に位置し、前記一端と共に前記主卓面の前記第２表面に接続する請求項１に記載の簡易麻雀卓構造。
【考案の詳細な説明】
【技術分野】
【０００１】
本考案は、簡易麻雀卓構造に関し、特に、複数の取り外し可能なレイヤーを有する簡易麻雀卓に関する。
【背景技術】
【０００２】
麻雀は、古代中国の伝統文化であり、正月に家族や友人の集まりで一緒に行われる娯楽である。近年では、麻雀をすることで、高齢者が麻雀卓で手や脳を使うことができ、高齢者の歓楽情緒を高めることができるため、長期的サービスに応用が拡大している。従って、麻雀は、静的に脳を使用し、僅かに動的に手を動かす娯楽であり、高齢者のいる家庭や老人ホーム等に自然に益々普及している。
【０００３】
麻雀の文化は人々に広く浸透しているので、そこで非常に重要な役割をなす麻雀卓は当然必要である。最近の麻雀卓構造は、電動、シンプル、折りたたみなど、あらゆるものが揃っている。ただし、これらの既存の麻雀卓構造は、独自の特徴を強調しているだけでなく、麻雀卓に不可欠な構造である係止板にほとんど着目していない。一般的な麻雀卓は関連構造を麻雀卓に直接構築しているため、収納時に麻雀卓全体の体積と厚さが増加している。
【０００４】
したがって、如何に上記の問題を改善するか、即ち、収納時の体積と厚さを低減し、収納時の利便性を高めるかは、当業者が研究及び考察するに値するものである。
【考案の概要】
【考案が解決しようとする課題】
【０００５】
本考案の目的は、収納時の体積と厚さを低減し、収納または外出携帯時に必要な空間を減らすことができる簡易麻雀卓構造を提供することである。
【課題を解決するための手段】
【０００６】
本考案の簡易麻雀卓構造は、第１表層が複数の第１磁気デバイスを含み、且つ前記複数の第１磁気デバイスが前記第１表層の第１端縁、第２端縁、第３端縁及び第４端縁に分散される主卓面と、４つの取り外し可能なレイヤーであり、前記各取り外し可能なレイヤーが、第２磁気デバイスを含み、且つ前記各取り外し可能なレイヤーが前記第１表層の前記第１端縁、前記第２端縁、前記第３端縁及び前記第４端縁に配置される時、前記各第２磁気デバイスの位置は、各第１磁気デバイスに相対し、ここで、前記４つの取り外し可能なレイヤーの前記４つの第２磁気デバイスと前記複数の第１磁気デバイスは互いに磁気的に引き付けられ、前記４つの取り外し可能なレイヤーを前記主卓面の第１表層に安定して配置させることができる、４つの取り外し可能なレイヤーと、前記主卓面の第２表層に接続され、且つ前記第２表層は、前記第１表層に相対し、前記収納可能な支持構造を体積が比較的小さい構造に収納させて前記第２表層に近接させる収納可能な支持構造と、を含む。
【０００７】
好ましくは、前記複数の各第１磁気デバイスは、第１ストリップ磁気シートであり、且つ長さが前記４つの端縁の各端縁の長さ以下であり、埋め込み方式で前記第１表層の各端縁の第１固定溝内に固定され、前記複数の第２磁気デバイスは、第２ストリップ磁気シートであり、且つ長さが４つの取り外し可能なレイヤーの各取り外し可能なレイヤーの長さ以下であり、埋め込み方式で取り外し可能なレイヤーの第２固定溝内に固定される。 
【０００８】
好ましくは、前記各第１磁気デバイスは、第１磁気ブロックであり、前記複数の第１磁気ブロックを１つの組み合わせとし、埋め込み方式で前記第１表層の各端縁内の複数の第１固定孔内に固定し、前記各第２磁気デバイスは、第２磁気ブロックであり、前記複数の第２磁気ブロックを1つの組み合わせとし、埋め込み方式で各取り外し可能なレイヤー内の複数の第２固定孔内に固定する。 
【０００９】
好ましくは、前記第１磁気デバイス及び前記第２磁気デバイスは、強力な磁気ブロック及び強力な磁性シートの何れかである。
【００１０】
好ましくは、前記簡易麻雀卓構造は、４つの保管構造を更に含み、前記各保管構造は、前記各取り外し可能なレイヤーを貫通させ、前記各取り外し可能なレイヤーを前記主卓面の前記第１表層に安定して配置させる時、前記各保管構造は、前記第１表層の各端縁に掛けることができる。
【００１１】
好ましくは、前記簡易麻雀卓構造は、４つの保管構造を更に含み、前記各保管構造は、前記各取り外し可能なレイヤーを押圧設置させ、前記各取り外し可能なレイヤーを前記主卓面の前記第１表層に安定して配置させる時、前記各保管構造は、前記第１表層の各端縁に掛けることができる。
【００１２】
好ましくは、前記収納可能な支持構造は、１つの第１卓脚及び２つの第１ピボット構造と、１つの第２卓脚及び２つの第２ピボット構造と、１つの第３卓脚及び２つの第３ピボット構造と、１つの第４卓脚及び２つの第４ピボット構造と、を含み、前記２つの第１ピボット構造は、前記第１卓脚の一端に位置し、前記一端と共に前記主卓面の前記第２表面に接続し、前記２つの第２ピボット構造は、前記第２卓脚の一端に位置し、前記一端と共に前記主卓面の前記第２表面に接続し、前記２つの第３ピボット構造は、前記第３卓脚の一端に位置し、前記一端と共に前記主卓面の前記第２表面に接続し、前記２つの第４ピボット構造は、前記第４卓脚の一端に位置し、前記一端と共に前記主卓面の前記第２表面に接続する。
【考案の効果】
【００１３】
本考案の簡易麻雀卓構造は、以下の利点を有する。
１、構造が簡単で、狭小空間に収納することができる。
２、テーブルの材質、保管構造の材質が何れも日常生活で入手し易い材質、例えば、金属、プラスチック、布等であるため、本考案の製造コストが極めて低い。
３、本考案は、材質及び構造により、携帯に非常に適している。家族で遊びに行く時、キャンプ、宿泊等、何れも随時随所で取り出して楽しむことができる。
４、本考案の保管構造は、布で製造することができ、取り外し可能なレイヤーを前記保管構造に貫通させて磁力又は磁気デバイスで麻雀卓の縁に配置することができる。このように、布で製造した保管構造は収納に便利でもある。
【図面の簡単な説明】
【００１４】
【図１】本考案の簡易麻雀卓構造の第１実施形態の主卓面及び２つの卓脚の斜視図である。
【図２】本考案の簡易麻雀卓構造の第１実施形態の第１表層の斜視図である。
【図３】本考案の簡易麻雀卓構造の第１実施形態の第１端縁、複数の第１磁気ブロック及び複数の第１固定孔間の位置関係の分解側面図である。
【図４】本考案の簡易麻雀卓構造の第１実施形態の主卓面が４つの取り外し可能なレイヤーを有することを示す斜視図である。
【図５】本考案の簡易麻雀卓構造の取り外し可能なレイヤー、複数の第２磁気ブロック及び複数の第２固定孔の位置関係を示す分解側面図である。
【図６】本考案の簡易麻雀卓構造の第１実施形態及び第２表層及び収納可能な支持構造の位置関係を示す斜視図である。
【図７】本考案の簡易麻雀卓構造の第１実施形態の第１表層、取り外し可能なレイヤー、収納可能な支持構造及び複数の保管構造の位置関係を示す斜視図である。
【図８】本考案の簡易麻雀卓構造の第２実施形態の主卓面及び３つの卓脚の斜視図である。
【図９】本考案の簡易麻雀卓構造の第２実施形態の第１端縁、第１ストリップ磁気シート及び第１固定溝の位置関係を示す分解側面図である。
【図１０】本考案の簡易麻雀卓構造の第２実施形態の取り外し可能なレイヤー、第２ストリップ磁気シート、第２固定溝、第１ストリップ磁気シート及び第１固定溝の位置関係を示す分解側面図である。
【図１１】本考案の簡易麻雀卓構造の収納後の平面図である。
【図１２】本考案の簡易麻雀卓構造の収納後に狭小空間に保管することを示す斜視図である。
【考案を実施するための形態】
【００１５】
本考案の上記特徴と利点をより分かり易くするため、以下では好適な実施形態を挙げ、図面と併せて、詳細に説明する。
【００１６】
図１と図２を参照し、それは、本考案の簡易麻雀卓構造の第１実施形態の主卓面及び２つの卓脚の斜視図及び本考案の簡易麻雀卓構造の第１実施例の第１表層の斜視図である。前記簡易麻雀卓構造１は、以下を含む。
【００１７】
主卓面１１：前記主卓面１１の第１表層１１１は、複数の第１磁気デバイスを含み、本実施形態について述べれば、前記複数の第１磁気デバイスは、第１磁気ブロック１２１、１２２、１２３、１２４、１２５、１２６、１２７、１２８、１２９、１２ａ、１２ｂ、１２ｃであり、且つ前記複数の第１磁気デバイスは、前記第１表層１１１の第１端縁１１１１、第２端縁１１１２、第３端縁１１１３、及び第４端縁１１１４に分布され、そのうち、前記複数の第１磁気ブロックは、前記複数の第１磁気ブロックを１つの組み合わせとし、埋め込み方式で前記第１表層１１１の各端縁の複数の第１固定孔内に固定し、本実施形態について述べれば、図３を参考とし、それは本考案の簡易麻雀卓構造の第１端縁１１１１、複数の第１磁気ブロック１２１、１２２、１２３及び複数の第１固定孔１１１５、１１１６、１１１７の位置関係を示す分解側面図であり、前記複数の第１磁気ブロック１２１、１２２、１２３は、前記複数の第１固定孔１１１５、１１１６、１１１７内に埋め込まれ、他の複数の第１磁気ブロックは、同様に前記第１表層１１１に固定される。
【００１８】
４つの取り外し可能なレイヤー１３、１４、１５、１６：前記各取り外し可能なレイヤーは、複数の第２磁気デバイスを含み、本実施形態について述べれば、前記複数の第２磁気デバイスは、第２磁気ブロック１３１、１３２、１３３、１４１、１４２、１４３、１５１、１５２、１５３、１６１、１６２、１６３であり、前記複数の第２磁気ブロックを１つの組み合わせとし、埋め込み方式で前記各取り外し可能なレイヤーの複数の第２固定孔内に固定し、本実施形態について述べれば、図４及び５を参照し、それは、本考案の簡易麻雀卓構造の第１実施形態の主卓面が４つの取り外し可能なレイヤーを有することを示す斜視図及び本考案の簡易麻雀卓構造の第１実施形態の取り外し可能なレイヤー１３、複数の第２磁気ブロック１３１、１３２、１３３及び複数の第２固定孔１３４、１３５、１３６の位置関係を示す分解側面図であり、前記複数の第２磁気ブロック１３１、１３２、１３３は、複数の第２固定孔１３４、１３５、１３６内に埋め込まれ、その残りの複数の第２磁気ブロックは、それぞれ同様に所属する取り外し可能なレイヤーの複数の第２固定孔内に固定され、且つ前記取り外し可能なレイヤー１３、１４、１５、１６が前記第１表層１１１の前記第１端縁１１１１、前記第２端縁１１１２、前記第３端縁１１１３及び前記第４端縁１１１４に配置される時、前記複数の第２磁気ブロック１３１、１３２、１３３、１４１、１４２、１４３、１５１、１５２、１５３、１６１、１６２、１６３の位置は、前記複数の第１磁気ブロック１２１、１２２、１２３、１２４、１２５、１２６、１２７、１２８、１２９、１２ａ、１２ｂ、１２ｃに相対し、互いに磁気的に引き付けられ、前記４つの取り外し可能なレイヤー１３、１４、１５、１６を前記主卓面１１の前記第１表層１１１に安定して配置させることができ、且つ複数の第１磁気ブロックと複数の第２磁気ブロックは、何れも強力な磁気ブロックであり、更に、一般的な麻雀卓は麻雀テーブルクロスで卓上を覆い、シャッフルや牌を捨てる時の抵抗を減らし、シャッフル及び牌を捨てる滑らかさを高め、前記４つの取り外し可能なレイヤー１３、１４、１５、１６は、磁力でテーブルクロスを固定し、ずれないようにすることができる。 
【００１９】
収納可能な支持構造１７：前記収納可能な支持構造１７は、主卓面１１の第２表層１１２に接続され、且つ前記第２表層１１２は、前記第１表層１１１に相対し、前記収納可能な支持構造１７を体積が比較的小さい構造に収納して前記第２表層１１２に近接させる。本実施形態について述べれば、図６を参考とし、本考案の簡易麻雀卓構造の第１実施形態の第２表層と収納可能な支持構造の位置関係を示す斜視図である。図６から分かるように、前記収納可能な支持構造１７は、１つの第１卓脚１７１及び２つの第１ピボット構造１７２、１７３と、１つの第２卓脚１７４及び２つの第２ピボット構造１７５、１７６と、１つの第３卓脚１７７及び２つの第３ピボット構造１７８、１７９と、１つの第４卓脚１７ａ及び２つの第４ピボット構造１７ｂ、１７ｃと、を含み、前記２つの第１ピボット構造１７２、１７３は、前記第１卓脚１７１の一端に位置し、前記一端と共に前記主卓面１１の前記第２表層１１２に接続され、前記２つの第２ピボット構造１７５、１７６は、前記第２卓脚１７４の一端に位置し、前記一端と前記主卓面１１の前記第２表層１１２に接続され、前記２つの第３ピボット構造１７８、１７９は、前記第３卓脚１７７の一端に配置され、前記一端と共に前記主卓面１１の全ての第２表層１１２に接続され、前記２つの第４ピボット構造１７ｂ、１７ｃは、前記第４卓脚１７ａの一端に位置し、前記一端と共に前記主卓面１１の前記第２表層１１２に接続される。このような構造の組み合わせにより、本考案は、使用されていない状態の時、前記収納可能な支持構造１７が収納されて前記第２表層１１２に近接されることができる。
【００２０】
４つの保管構造：前記各保管構造は、前記各取り外し可能なレイヤーを貫通させることができ、前記各取り外し可能なレイヤーを前記主卓面の前記第１表層に安定して配置する時、前記各保管構造は、前記第1表層の各端縁に掛けることができ、本実施形態について述べれば、図７を参考とし、それは、本考案の簡易麻雀卓構造の第１実施形態の第１表層、取り外し可能なレイヤー、収納可能な支持構造及び複数の保管構造の位置関係を示す斜視図である。図７に示すように、２つの保管構造１８、１９のみが示され、前記格納構造１８は、前記取り外し可能なレイヤー１３にその上部を通過させることができ、前記複数の第１磁気ブロック１２ａ、１２ｂ、１２ｃ及び複数の第２磁気ブロック１３１、１３２、１３３の互いの間の磁力のため、前記保管構造１８を前記第４端縁１１１４に掛けて固定し、また、前記保管構造１９の上部は、前記取り外し可能なレイヤー１６によって前記第４端縁１１１３に押圧設置され、前記複数の第２磁気ブロック１６１、１６２、１６３と前記複数の第１磁気ブロック１２７、１２８、１２９の間の磁力によって引き起こされる。前記保管構造は、一般的に布で製造されることができ、幾つかのポケットを有し、小銭、ペン等の物品を入れることができる。
【００２１】
図８を参照し、それは、本考案の簡易麻雀卓構造の第２実施形態の主卓面及び３つの卓脚の斜視図である。図８に示すように、主卓面１１’の第１表層１１１’は、複数の第１磁気デバイスを含み、本実施形態について述べれば、前記複数の第１磁気デバイスは、複数の第１ストリップ磁気シート１２１’、１２４’、１２７’、１２ａ’であり、その長さが前記４つの端縁１１１１’、１１１２’、１１１３’、１１１４’の各端縁の長さ以下であり、且つ前記複数の第１ストリップ磁気シート１２１’、１２４’、１２７’、１２ａ’は、前記第１表層１１１’の第１端縁１１１１’、第２端縁１１１２’、第３端縁１１１３’、及び第４端縁１１１４’に分布し、そのうち、前記複数の第１ストリップ磁気シート１２１’、１２４’、１２７’、１２ａ’は、埋め込み方式で前記第１表層１１１’の各端縁の第１固定溝内に固定され、本実施形態について述べれば、図９を参照し、それは、本考案の簡易麻雀卓構造の第２実施形態の第１端縁１１１１’、第１ストリップ磁気シート１２１’及び第１固定溝１１１５’の位置関係を示す分解側面図であり、前記第１ストリップ磁気シート１２１’は、前記第１固定溝１１１５’に埋め込まれ、その残りの複数の第１ストリップ磁気シートは、何れも同様に前記第１表層１１１’に固定される。さらに、図１０を参照し、それは、本考案の簡易麻雀卓構造の第２実施形態の取り外し可能なレイヤー１４’、第２ストリップ磁気シート１４１’、第２固定溝１４４’、第１ストリップ磁気シート１２１’及び第１固定溝１１１５’の位置関係を示す分解側面図である。図に示すように、前記第１ストリップ磁気シート１２１’は、前記第１表層１１１’の前記第１固定溝１１１５’内に埋め込まれ、前記第２ストリップ磁気シート１４１’は、前記取り外し可能なレイヤー１４’の前記第２固定溝１４４’内に埋め込まれ、且つ長さは対応する取り外し可能なレイヤーの長さ以下である。前記第１ストリップ磁気シート１２１’と前記第２ストリップ磁気シート１４１’は互いに磁気的に引き付けられ、それによって、前記取り外し可能なレイヤー１４’を前記第１表層１１１’上に固定させる。そのうち、前記各第１ストリップ磁気シートと前記各第２ストリップ磁気シートは、強力な磁気シートであることができる。残りの３つの取り外し可能なレイヤー（図示せず）も、同様の原理で前記第１表層１１１’に固定される。
【００２２】
図１１と図１２は、本考案の簡易麻雀卓構造の収納後の平面図及び本考案の簡易麻雀卓構造の収納後に狭小空間に保管することを示す斜視図である。図１１は、簡易麻雀卓構造１が収納後に薄い板を呈することを示す。図１２は、簡易麻雀卓構造１が収納後に狭小空間に保管することができることを示す。前記空間は、冷蔵庫Ｂと壁Ｗの間である。図１２に示す冷蔵庫では、そのモデルはＰａｎａｓｏｎｉｃ（登録商標）ＮＲ‐Ｅ４３０ＶＴ‐Ｎ１であり、外形寸法は６００×６７９×１８１８ｍｍであるため、高さが１８０ｃｍを超えていることがわかる。麻雀台の大きさは８６０×８６０×４５ｍｍで、その厚さが４．５ｃｍ、地面からの高さが８６ｃｍであることがわかる。このことから分かるように、前記麻雀卓は、折りたたんで隙間の狭い空間に置くことができ、収納が非常に容易である。
【００２３】
上記に基づき、本考案の簡易麻雀卓構造は、以下の利点を有する。
１、構造が簡単で、狭小空間に収納することができる。
２、テーブルの材質、保管構造の材質が何れも日常生活で入手し易い材質、例えば、金属、プラスチック、布等であるため、本考案の製造コストが極めて低い。
３、材質及び構造により、本考案は、携帯に非常に適している。家族で遊びに行く時、キャンプ、宿泊等、何れも随時随所で取り出して楽しむことができる。
４、本考案の保管構造は、布で製造することができ、取り外し可能なレイヤーを前記保管構造に貫通させて磁力又は磁気デバイスで麻雀卓の縁に配置することができる。このように、布で製造した保管構造は収納に便利でもある。
【符号の説明】
【００２４】
１１  主卓面
１１１  第１表面
１１１１  第１端縁
１１１２  第２端縁
１１１３  第３端縁
１１１４  第４端縁
１１１５  第１固定孔
１１１６  第１固定孔
１１１７  第１固定孔
１２１  第１磁気ブロック
１２２  第１磁気ブロック
１２３  第１磁気ブロック
１２４  第１磁気ブロック
１２５  第１磁気ブロック
１２６  第１磁気ブロック
１２７  第１磁気ブロック
１２８  第１磁気ブロック
１２９  第１磁気ブロック
１２ａ  第１磁気ブロック
１２ｂ  第１磁気ブロック
１２ｃ  第１磁気ブロック
１３  取り外し可能なレイヤー
１３１  第２磁気ブロック
１３２  第２磁気ブロック
１３３  第２磁気ブロック
１３４  第２固定孔
１３５  第２固定孔
１３６  第２固定孔
１４  取り外し可能なレイヤー
１４１  第２磁気ブロック 
１４２  第２磁気ブロック
１４３  第２磁気ブロック
１５  取り外し可能なレイヤー
１５１  第２磁気ブロック
１５２  第２磁気ブロック
１５３  第２磁気ブロック
１６  取り外し可能なレイヤー
１６１  第２磁気ブロック
１６２  第２磁気ブロック
１６３  第２磁気ブロック
１７  収納可能な支持構造
１７１  第１卓脚
１７２  第１ピボット構造
１７３  第１ピボット構造
１７４  第２卓脚
１７５  第２ピボット構造
１７６  第２ピボット構造
１７７  第３卓脚
１７８  第３ピボット構造
１７９  第３ピボット構造
１７ａ  第４卓脚
１７ｂ  第４ピボット構造
１７ｃ  第４ピボット構造
１８  保管構造
１９  保管構造
１１’  主卓面
１１１’  第１表層
１１１１’  端縁
１１１２’   端縁
１１１３’   端縁
１１１４’   端縁
１１１５’  第１固定溝
１２１’  第１ストリップ磁気シート
１２４’   第１ストリップ磁気シート
１２７’   第１ストリップ磁気シート
１２ａ’   第１ストリップ磁気シート
１４’  取り外し可能なレイヤー
１４１’  第２ストリップ磁気シート
１４４’   第２固定溝
Ｂ  冷蔵庫
Ｗ  壁
【図１】
0003230589.tif 000003
【図２】
0003230589.tif 000004
【図３】
0003230589.tif 000005
【図４】
0003230589.tif 000006
【図５】
0003230589.tif 000007
【図６】
0003230589.tif 000008
【図７】
0003230589.tif 000009
【図８】
0003230589.tif 000010
【図９】
0003230589.tif 000011
【図１０】
0003230589.tif 000012
【図１１】
0003230589.tif 000013
【図１２】
0003230589.tif 000014
【手続補正書】
【提出日】令和2年11月25日(2020.11.25)
【手続補正１】
【補正対象書類名】実用新案登録請求の範囲
【補正対象項目名】全文
【補正方法】変更
【補正の内容】
【実用新案登録請求の範囲】
【請求項１】
第１表層が複数の第１磁気デバイスを含み、且つ前記複数の第１磁気デバイスが前記第１表層の第１端縁、第２端縁、第３端縁及び第４端縁に分散される主卓面と、
４つの取り外し可能なレイヤーであり、前記各取り外し可能なレイヤーが、第２磁気デバイスを含み、且つ前記各取り外し可能なレイヤーが前記第１表層の前記第１端縁、前記第２端縁、前記第３端縁及び前記第４端縁に配置される時、前記各第２磁気デバイスの位置は、各第１磁気デバイスに相対し、ここで、前記４つの取り外し可能なレイヤーの前記４つの第２磁気デバイスと前記複数の第１磁気デバイスは互いに磁気的に引き付けられ、前記４つの取り外し可能なレイヤーを前記主卓面の第１表層に安定して配置させることができる、４つの取り外し可能なレイヤーと、
前記主卓面の第２表層に接続され、且つ前記第２表層は、前記第１表層に相対し、前記第２表層に近接させることで、体積がより小さい構造に収納可能な支持構造と、
を含む簡易麻雀卓構造。
【請求項２】
前記複数の各第１磁気デバイスは、第１ストリップ磁気シートであり、且つ長さが前記４つの端縁の各端縁の長さ以下であり、埋め込み方式で前記第１表層の各端縁の第１固定溝内に固定され、前記複数の第２磁気デバイスは、第２ストリップ磁気シートであり、且つ長さが４つの取り外し可能なレイヤーの各取り外し可能なレイヤーの長さ以下であり、埋め込み方式で取り外し可能なレイヤーの第２固定溝内に固定される請求項１に記載の簡易麻雀卓構造。 
【請求項３】
前記各第１磁気デバイスは、第１磁気ブロックであり、前記複数の第１磁気ブロックを１つの組み合わせとし、埋め込み方式で前記第１表層の各端縁内の複数の第１固定孔内に固定し、前記各第２磁気デバイスは、第２磁気ブロックであり、前記複数の第２磁気ブロックを1つの組み合わせとし、埋め込み方式で各取り外し可能なレイヤー内の複数の第２固定孔内に固定する請求項１に記載の簡易麻雀卓構造。 
【請求項４】
前記第１磁気デバイス及び前記第２磁気デバイスは、強力な磁気ブロック及び強力な磁性シートの何れかである請求項１に記載の簡易麻雀卓構造。 
【請求項５】
４つの保管構造を更に含み、前記各保管構造は、前記各取り外し可能なレイヤーを貫通させ、前記各取り外し可能なレイヤーを前記主卓面の前記第１表層に安定して配置させる時、前記各保管構造は、前記第１表層の各端縁に掛けることができる請求項１に記載の簡易麻雀卓構造。
【請求項６】
４つの保管構造を更に含み、前記各保管構造は、前記各取り外し可能なレイヤーを押圧設置させ、前記各取り外し可能なレイヤーを前記主卓面の前記第１表層に安定して配置させる時、前記各保管構造は、前記第１表層の各端縁に掛けることができる請求項１に記載の簡易麻雀卓構造。 
【請求項７】
前記収納可能な支持構造は、
１つの第１卓脚及び２つの第１ピボット構造と、
１つの第２卓脚及び２つの第２ピボット構造と、
１つの第３卓脚及び２つの第３ピボット構造と、
１つの第４卓脚及び２つの第４ピボット構造と、
を含み、
前記２つの第１ピボット構造は、前記第１卓脚の一端に位置し、前記一端と共に前記主卓面の前記第２表面に接続し、
前記２つの第２ピボット構造は、前記第２卓脚の一端に位置し、前記一端と共に前記主卓面の前記第２表面に接続し、
前記２つの第３ピボット構造は、前記第３卓脚の一端に位置し、前記一端と共に前記主卓面の前記第２表面に接続し、
前記２つの第４ピボット構造は、前記第４卓脚の一端に位置し、前記一端と共に前記主卓面の前記第２表面に接続する請求項１に記載の簡易麻雀卓構造。